(57)【要約】  【課題】胸ポケット等への取付強度を確保しつつもその胸ポケット等が傷んでしまうことを抑制でき、且つ、操作する際にも痛くなく、さらには、部材同士の定着性を良くして部材の紛失を抑制できるといった表示プレートを提供する。  【解決手段】作動体２と表示部Ａに設けられてなるベース体１とを具備し、取付先部材の所定部を、それら作動体２とベース体１との間で挟持することによりその取付先部材に保持されるようにした表示プレートＰであって、前記作動体２が、金属製の作動体本体２１と、前記作動体本体２１の先端部から外側の略全面を保護する樹脂製の保護部２２とを具備するようにした。【選択図】図３
2005338239.tif 000002
【特許請求の範囲】
【請求項１】
作動体と表示部に設けられてなるベース体とを具備し、取付先部材の所定部を、それら作動体とベース体との間で挟持することによりその取付先部材に保持されるようにした表示プレートであって、
前記作動体が、
金属製の作動体本体と、
前記作動体本体の先端部から外側の略全面を保護する樹脂製の保護部とを具備することを特徴とする表示プレート。
【請求項２】
前記作動体本体と前記保護部とが、インサート成形により一体に形成されたものであることを特徴とする請求項１記載の表示プレート。
【請求項３】
前記作動体本体と前記保護部とが別体に形成されたものであり、
前記作動体本体に対して前記保護部を取り付けることにより、前記作動体を一体的なものとしていることを特徴とする請求項１記載の表示プレート。
【請求項４】
前記保護部が、前記作動体本体の先端部を被覆する被覆部と、前記作動体本体の基端部に設けられた係止片に係合可能な被係合部とを具備するものであって、
前記被覆部を前記作動体本体の先端部に取り付けて被覆した後に、前記被係合部を前記作動体本体の係止片に係合させることにより、前記作動体本体と前記保護部とを取り付けるように構成していることを特徴とする請求項３記載の表示プレート。
【請求項５】
前記係止片が、前記作動体本体の内側に突出するものであって、
前記保護部の被係合部側を、前記作動体本体の基端部側の内側に巻き込んでから、前記係止片に前記被係合部を取り付けるように構成していることを特徴とする請求項４記載の表示プレート。
【請求項６】
前記作動体本体が、板金素材を塑性変形加工することにより形成したものであることを特徴とする請求項１乃至５いずれか記載の表示プレート。
【請求項７】
前記保護部の先端部を、軟質樹脂で構成していることを特徴とする請求項１乃至６いずれか記載の表示プレート。
【請求項８】
前記保護部の基端部を、軟質樹脂で構成していることを特徴とする請求項１乃至７いずれか記載の表示プレート。
【請求項９】
前記保護部を、前記作動体本体の両側縁部にも設けていることを特徴とする請求項１乃至８いずれか記載の表示プレート。
【請求項１０】
前記保護部を、前記作動体本体の裏面側にも設けていることを特徴とする請求項１乃至９いずれか記載の表示プレート。
【請求項１１】
前記表示部が、名前等を表示するためのカードを出し入れ可能に収容するカード収容体を具備するものであることを特徴とする請求項１乃至１０いずれか記載の表示プレート。
【請求項１２】
前記作動体本体の先端部の形状と前記保護部の先端部の形状とを、異なる形状に構成していることを特徴とする請求項１乃至１１いずれか記載の表示プレート。
【請求項１３】
前記作動体本体の先端部の少なくとも一部の部位を、他の部位よりも基端部側に退避した形状を有するように構成していることを特徴とする請求項１２記載の表示プレート。
【請求項１４】
前記作動体本体の先端部に凹部を設ける一方、
前記ベース体の前記凹部と対応する位置に凸部を設けたことを特徴とする請求項１乃至１３いずれか記載の表示プレート。
【請求項１５】
前記作動体本体が、前記ベース体に向けて突出させてなり前記付勢手段を係止するための係止片を備え、前記保護部が、基端側の両側端部において前記ベース体に向けて突出させた一対の突出部を備えるものであって、
前記係止片を、前記一対の突出部間に配置していることを特徴とする請求項１乃至１４いずれか記載の表示プレート。
【請求項１６】
前記保護部が、先端部側の両側端部において、前記ベース体に向けて延出する一対の延出部を備えることを特徴とする請求項１乃至１５いずれか記載の表示プレート。
【発明の詳細な説明】
【技術分野】
【０００１】
本発明は、名前などを表示すると共に、例えば、ポケット等に取り付けて使用する表示プレートに関するものである。
【背景技術】
【０００２】
従来から、一対のクリップ用片とその各用片の連結柱とを合成樹脂により一体形成して備えるとともに、前記連結柱の後側において各クリップ用片に作用して前端を圧接するばね部材を備えるようにしたクリップを、名札挟みにの裏面に設けた表示プレートが知られている。そして、この表示プレートは、一対のクリップ用片の間で胸ポケットを挟持することにより、その胸ポケットに支持された状態で使用される（例えば特許文献１参照。）。
【特許文献１】実開平６−１５０８０号公報（第３頁〜第５頁、第１図）
【発明の開示】
【発明が解決しようとする課題】
【０００３】
ところが、従来の構成では、胸ポケットへの取付強度を確保するために、クリップ用片を幅広に構成すると、胸ポケット内部の収容物と干渉してしまうといった課題を有している。また、その取付強度を確保するために、クリップ用片を金属製のものとすると、胸ポケットが傷んでしまうといった課題や、操作する際に指先が痛いといった操作上の課題をも有している。
【０００４】
このような課題を改善するために、金属製のクリップ用片の先端部に樹脂製部材を取り付けたものが考えられるが、このような構成では、表示プレートを勢いよく取り外した場合には、先端部が脱落してしまうため部材の紛失を招きやすいといった課題を有している。
【０００５】
本発明は、このような課題に着目してなされたものであって、主たる目的は、胸ポケット等への取付強度を確保しつつもその胸ポケット等が傷んでしまうことを抑制でき、且つ、操作する際にも痛くなく、さらには、部材同士の定着性を良くして部材の紛失を抑制できるといった表示プレートを提供することにある。
【課題を解決するための手段】
【０００６】
すなわち、本発明の表示プレートは、作動体と表示部に設けられてなるベース体とを具備し、取付先部材の所定部を、それら作動体とベース体との間で挟持することによりその取付先部材に保持されるようにした表示プレートであって、前記作動体が、金属製の作動体本体と、前記作動体本体の先端部から外側の略全面を保護する樹脂製の保護部とを具備することを特徴とする。
【０００７】
ここで、「取付先部材の所定部を、それら作動体とベース体との間で挟持する」とは、作動体をベース体に対して押し付ける向きに付勢する付勢手段を利用して、取付先部材の所定部を挟持するようにしたものを言うが、この付勢手段は、作動体およびベース体と別体のものであってもよいし、作動体自体にその機能を具備させたものであってもよい。
【０００８】
このようなものであれば、胸ポケット等への取付強度を確保しつつもその胸ポケット等が傷んでしまうことを抑制でき、且つ、操作する際にも痛くなく、さらには、部材同士の定着性を良くして部材の紛失を抑制できるといった表示プレートを提供することができる。
【０００９】
作動体本体と保護部との望ましい態様としては、前記作動体本体と前記保護部とが、インサート成形により一体に形成されたものが挙げられる。
【００１０】
また、作動体本体と保護部との望ましい他の態様としては、前記作動体本体と前記保護部とが別体に形成されたものであり、前記作動体本体に対して前記保護部を取り付けることにより、前記作動体を一体的なものとしているものが挙げられる。この場合において、前記保護部が、前記作動体本体の先端部を被覆する被覆部と、前記作動体本体の基端部に設けられた係止片に係合可能な被係合部とを具備するものであって、前記被覆部を前記作動体本体の先端部に取り付けて被覆した後に、前記被係合部を前記作動体本体の係止片に係合させることにより、前記作動体本体と前記保護部とを取り付けるように構成しているものであれば、作動体本体と保護部とを簡単に取り付けることができる。このときの具体的態様としては、前記係止片が、前記作動体本体の内側に突出するものであって、前記保護部の被係合部側を、前記作動体本体の基端部側の内側に巻き込んでから、前記係止片に前記被係合部を取り付けるように構成しているものが挙げられる。
【００１１】
なお、作動体本体を安価に構成しつつも、好適に強度を確保するためには、前記作動体本体が、板金素材を塑性変形加工することにより形成したものであることが好ましい。
【００１２】
また、取付先部材の所定部を挟持した際に、効果的に挟持しつつもその取付先部材が傷んでしまうことを有効に抑制するためには、前記保護部の先端部を、軟質樹脂で構成していることが望ましい。
【００１３】
また、前記保護部の基端部を、軟質樹脂で構成しているものであれば、保護部の基端部に指を掛け、ベース体と作動体との先端部同士を近づけたり遠ざけたりするといった操作をするときも、作動体本体に直接指が触れず軟質樹脂の弾性により好適な操作感を得られ、且つ、金属製の作動体本体によって指等が傷ついてしまうといった不具合も抑制することができる。
【００１４】
前記保護部を、前記作動体本体の両側縁部にも設けているものであれば、例えば、作動体本体の側縁部が、板金素材を打ち抜き加工によって形成したものであり、そこにバリが残っていても保護部によって好適に保護することができる。すなわち、金属製の作動体本体の側縁部が、保護部によって露出しないため、作動体本体によって指等が傷ついてしまうといった不具合を、特別な加工を施さなくても抑制できる。
【００１５】
前記保護部を、前記作動体本体の裏面側にも設けているものであれば、金属製の作動体本体を、表面側と裏面側とから保護してその劣化を好適に抑制できる。したがって繰り返しの使用にも有効に対応できる。
【００１６】
ところで、前記表示部が、名前等を表示するためのカードを出し入れ可能に収容するカード収容体を具備するものであれば、当該表示プレートの使用者が変わっても、カードを変えるだけで済むので、継続的に使用可能に構成した作動体と合わせて表示プレート全体としての繰り返しの使用を好適に行える。
【００１７】
なお、前記作動体本体の先端部の形状と前記保護部の先端部の形状とを、異なる形状に構成しているものであれば、取付先部材に加わる挟持力を分散させて、取付先部材の所定部を好適に挟持することができる。このときの具体的な態様としては、前記作動体本体の先端部の少なくとも一部の部位を、他の部位よりも基端部側に退避した形状を有するように構成しているものが挙げられる。
【００１８】
また、取付先部材の所定部を好適に挟持するためには、前記作動体本体の先端部に凹部を設ける一方、前記ベース体の前記凹部と対応する位置に凸部を設けていることが望ましい。
【００１９】
前記作動体本体が、前記ベース体に向けて突出させてなり前記付勢手段を係止するための係止片を備え、前記保護部が、基端側の両側端部において前記ベース体に向けて突出させた一対の突出部を備えるものであって、前記係止片を、前記一対の突出部間に配置しているものであれば、部材の共用を図りコストアップすることを防止しながらも、ベース体に向けて突出させた金属製の係止片に、指等が直接触れて傷を負ってしまうといった不具合を効果的に抑制することができる。
【００２０】
加えて、前記保護部が、先端部側の両側端部において、前記ベース体に向けて延出する一対の延出部を備えるものであれば、一対の延出部に手をかけて、表示プレート全体を持ち運びやすい。その際、樹脂製の部分を把持することになるので、好適な把持感を得られる。
【発明の効果】
【００２１】
以上説明したように本発明の表示プレートによれば、作動体が、金属製の作動体本体と、前記作動体本体の先端部から外側の略全面を保護する樹脂製の保護部とを具備しているため、胸ポケット等への取付強度を確保しつつもその胸ポケット等が傷んでしまうことを抑制でき、且つ、操作する際にも痛くなく、さらには、部材同士の定着性を良くして部材の紛失を抑制できるといった表示プレートを提供することができる。
【発明を実施するための最良の形態】
【００２２】
以下、本発明の一実施形態を、図面を参照して説明する。
【００２３】
本発明に係る表示プレートＰは、取付先部材たる衣服の胸ポケット（図示せず）の使用端側上端部に取り付けて使用するものであって、図１、図２に示すように、表示部Ａと、この表示部Ａに設けられてなるクリップＢとを具備してなる。
【００２４】
各部について具体的に説明すると、表示部Ａは、名前等を表示するためのカードＣを出し入れ可能に収容するカード収容体Ａ１を具備するものであって、本実施形態では、透明な合成樹脂製のものとしている。なお、この表示部Ａを、薄板状のものとして、その表面に名前を印刷したもの等でも構わない。
【００２５】
クリップＢは、表示部Ａに取り付けたベース体１と、このベース体１に対して対向配置した作動体２と、ベース体１に対して作動体２を回動可能に支持する支持軸３と、ベース体１と作動体２との間に介在し作動体２の先端部をベース体１に押し付ける向きに付勢する付勢手段４とを具備して成る。なお、本実施形態では、全体の形を長円形にし針の先が露出しないようにした留めピン５を具備するようにしているが、この留めピン５を具備しないものであってもよい。
【００２６】
より具体的に各部を説明する。
【００２７】
ベース体１は、図１、図２に示すように、平面視略矩形状のベース体本体１１と、このベース体本体１１の基端側の両側縁部から起立させた一対の起立部１２とを具備する合成樹脂製のものであって、本実施形態ではインジェクション成形によりこれら各部を一体に形成してなる。
【００２８】
さらに各部を詳述すると、ベース体本体１１は、先端部の表面に、先端縁と略平行をなすように設けた２列の突条１１１ａ、１１１ｂを有するようにしている。また、これら突条１１１ａ、１１１ｂに挟まれ且つ当該ベース体本体１１の幅方向略中央には、この突条１１１ａ、１１１ｂと略同じ高さ寸法を有する凸部１１２を有するようにしている。この凸部１１２は、平面視略円形状のものとしているが、その形状や高さ寸法等はこれに限られるものではない。さらに、このベース体本体１１の基端側の幅方向略中央には、前記付勢手段４を取り付けるための付勢手段取付部１１３を有するようにしている。この付勢手段取付部１１３は、円柱状のものとしているが、これに限られるものではない。
【００２９】
起立部１２は、側面視した際に、基端側が略矩形状をなし先端側が部分円弧状をなすようにしたものである。そして、先端側の略中央部に厚み方向に貫通する貫通孔１２１を有するようにしている。この貫通孔１２１は、略円形状の断面を有するものであって、支持軸３の端部３１ａ、３１ｂを回動可能に支持するために、その支持軸３の直径寸法よりも若干大きい直径寸法を有するように構成している。
【００３０】
作動体２は、金属製の作動体本体２１と、この作動体２の先端部から外側たる操作面側の略全面を少なくとも保護する合成樹脂製の保護部２２とを具備するものであって、本実施形態では、これら各部をインサート成形により一体に形成してなる。なお、保護部２２の合成樹脂としては、軟質性のものを用いるようにしている。
【００３１】
これら各部について詳述すると、作動体本体２１は、図３等に示すように、平面視略矩形状の基体２１１と、前記基体２１１の先端縁をベース体１に向けて略直角に屈曲させ前記ベース体１に当接し得るようにした先端片２１２と、前記基体２１１の両側縁をベース体１に向けて略直角に屈曲させた一対の側端片２１３と、付勢手段４の他端側４ｂを係止するためにベース体１に向けて切り起こした係止片２１４とからなるものであって、これら各部を板金素材を塑性変形加工することにより一体に形成してなる。
【００３２】
さらに、先端片２１２、側端片２１３および係止片２１４について詳述すると、先端片２１２は、先端部中央に凹部２１２Ｘを備えることにより、この先端片２１２の凹部２１２Ｘを有する部位が、他の部位（先端片２１２の先端部の両端側）よりも、先端片２１２の基端側に退避した形状を有するようにしている。
【００３３】
側端片２１３は、先端側に横長略矩形状の側片要素２１３ａを備え、後端側に前記側片要素２１３ａの高さ寸法よりも大きく構成した縦長舌片状の舌片要素２１３ｂを備えてなる。そして、この舌片要素２１３ｂ側には、支持軸３に支持され得る挿通孔２１３Ｘを設けている。
【００３４】
係止片２１４は、前記基体２１１の基端側の略中央において、その基体２１１に一辺を残すとともにその基体２１１から切り起こした縦長の舌片状のものである。なお、この係止片２１４は、基体２１１に対して略直角を成すように切り起こしているが、切りお越し角度はこれに限られるものではない。
【００３５】
保護部２２は、前記作動体本体２１を構成する各部のうち、前記舌片要素２１３ｂと前記係止片２１４とを除く各部を覆うことにより、換言すれば、作動体本体２１の先端部、基端部、両側縁部、及び裏面側を覆うことにより、覆われた各部を保護するようにしたものである。なお、前記側片要素２１３ａを覆う位置に、ベース体１に向けて延出する一対の延出部２２１を備えるようにしている。また、この保護部２２は、前記作動体本体２１の先端部から外側の略全面を少なくとも保護するものであれば良く、例えば、基体２１１の内側を覆わないようにしても良い。
【００３６】
また、本実施形態では、この保護部２２の基端側の両側縁部において前記ベース体１に向けて突出させた一対の突出部２２Ｔを備えるようにしている。なお、この突出部２２Ｔの基端側が部分円弧状を成すように形成している。
【００３７】
また、本実施形態では、前記作動体本体２１の先端片２１２を保護している当該保護部２２の先端縁の形状を、ベース体１の２列の突条１１１ａ、１１１ｂおよび凸部１１２に当接し得るように、平坦面２２Ｈを有するように構成している。
【００３８】
なお、本実施形態では、前記基体２１１の外側の先端側と基端側とにおいて、保護部２２によって作動体本体２１を被覆しないようにした部分が２箇所２２ｍ、２２ｎあるが、これは、インサート成形時に、金型がこの作動体本体２１を支持するためのものであって、その位置や形状や個数などは適宜変更可能である。
【００３９】
さらに、本実施形態では、保護部２２の表面に３つの突起部２２ｘを設けている。突起部２２ｘは、平面視略矩形状を有し、指を掛けた際に滑り止めとしての機能を発揮し得るものであって、所定間隔で３列に並べて配列するようにしている。なお、突起部２２ｘの形状や個数などは、これに限られない。
【００４０】
支持軸３は、両端部を中央部よりも若干拡開するようにした長手方向に各部略等断面形状をなす円筒状のものである。そして、本実施形態では、この支持軸３をスチール製のものとしている。
【００４１】
付勢手段４は、平面視略矩形状の板金素材をＵ字状に湾曲させた板バネであって、一端側４ａと他端側４ｂとを、ベース体１と作動体２とにそれぞれ取り付けてなる。
【００４２】
以上のように構成される表示プレートＰについて、その使用方法を以下に説明する。
【００４３】
（１）表示プレートＰを、胸ポケットに取り付ける方法。
【００４４】
作動体２に対して外力が加わっていない状態では、作動体２の先端部は、付勢手段４によってベース体１に押し付けられた状態にある。
【００４５】
まず、表示部Ａと作動体２の基端部とに指を掛け、作動体２の先端部がベース体１から離れるように外力を加える。
【００４６】
すると、作動体２の先端部は、支持軸３を回動中心としてベース体１から離間する方向に回動し、ベース体１から離間することとなる。なお、本実施形態では、作動体２の係止片２１４が、ベース体１の付勢手段取付部１１３に当接することにより、作動体２の先端部が、ベース体１から最大に開成した開成状態（図示せず）を取るようにしているが、作動体２の突出部２２Ｔが、ベース体１の基端側に当接することにより、開成状態を取るようにしてもよい。
【００４７】
このようにして、開成状態になった作動体２の先端部とベース体１とを、胸ポケットの使用端側上端部を挟持し得る位置に位置付けて、上述した外力を加えることを止めると、作動体２の先端部は、付勢手段４によって支持軸３を回動中心としてベース体１に近接する方向に回動し、作動体２の先端部とベース体１との間で胸ポケットの使用端側上端部を挟持する状態になる。
【００４８】
しかして、表示プレートＰの作動体２とベース体１とが、胸ポケットの使用端側上端部を挟持することとなるが、このとき、樹脂製の保護部２２が胸ポケットの使用端側上端部に接して挟持し、金属製の作動体本体２１はその胸ポケットの使用端側上端部に直接接しないので、挟持している部分が傷んでしまうことを好適に抑制できる。
【００４９】
（２）表示プレートＰを、胸ポケットから取り外す方法。
【００５０】
（１）のようにして、胸ポケットの使用端側上端部に取り付けた表示プレートＰにおいて、表示部Ａと作動体２の基端部とに指を掛け、作動体２の先端部がベース体１から離れるように外力を加える。
【００５１】
すると、作動体２の先端部は、支持軸３を回動中心としてベース体１から離間する方向に回動し、ベース体１から離間することとなる。
【００５２】
このように、作動体２の先端部とベース体１とを開成状態にして、挟持している胸ポケットの使用端側上端部から当該表示プレートＰを取り外すことができる。
【００５３】
なお、上述した方法以外の方法でも、表示プレートＰを、胸ポケットから取り外すことができる。
【００５４】
具体的には、胸ポケットの使用端側上端部に取り付けた表示プレートＰにおいて、表示部Ａのみを掴んで、胸ポケットから取り外す向きに引っ張って、当該表示プレートＰを取り外すこともできる。
【００５５】
この場合には、当該表示プレートＰが、胸ポケットから外れるまでの間、作動体２の先端部とベース体１とが、胸ポケットの使用端側上端部に接触し続けることとなるが、金属製の作動体本体２１はその胸ポケットの使用端側上端部に直接接しないので、挟持している部分が傷んでしまうことを好適に抑制できる。
【００５６】
（３）その他。
【００５７】
なお、開成状態において、作動体２の基端部に掛けている指を急に離せば、作動体２の先端部は、付勢手段４によってベース体１に勢いよく当接する。このような場合であっても、合成樹脂製の保護部２２が金属製の作動体本体２１に生じる振動を好適に減衰させるため、騒音が不必要に発生することを好適に抑制できる。
【００５８】
このように、本実施形態に係る表示プレートＰは、金属製の作動体本体２１によって、作動体２全体としての剛性を好適に確保しつつ、合成樹脂製の保護部２２によって胸ポケットの挟持している部分が傷んでしまうことを効果的に抑制することができる。また、作動体本体２１を金属製としているため、作動体２全体を合成樹脂で構成した場合と比べコンパクトに構成でき、当該表示プレートＰを胸ポケットに取り付けて使用した場合に、胸ポケット中の収容物と無用に干渉することを抑制して使い勝手が良い。さらに、保護部２２を、操作面側の略全面を保護するように設けているので、操作するときに痛くない。加えて、保護部２２を、作動体本体２１の先端部および操作面側の略全面を保護すべくこれら各部に対して連続するように設けているので、作動体本体２１と保護部２２との定着性を良くすることができる。したがって、当該表示プレートＰを胸ポケットから勢いよく取り外した場合に、例えば、保護部２２を作動体本体２１の先端部のみに設けた場合では、保護部２２が作動体本体２１から完全に脱落してしまうといった不具合が生じ得るのに対し、保護部２２が作動体本体２１から完全に脱落してしまうといった不具合を抑制できる。すなわち、胸ポケット等への取付強度を確保しつつもその胸ポケット等が傷んでしまうことを抑制でき、且つ、操作する際にも痛くなく、さらには、作動体本体２１と保護部２２との部材同士の定着性を良くして保護部２２の紛失を抑制できるといった表示プレートＰを実現することができる。
【００５９】
また、作動体本体２１が、板金素材を塑性変形加工することにより形成したものであるので、作動体本体２１を安価に構成しつつも、好適に強度を確保することができる。
【００６０】
保護部２２を軟質樹脂製のものとし、且つ、作動体本体２１の先端部、基端部、両側縁部、及び裏面側を保護するように設けている。これにより、胸ポケットの所定部を挟持した際に、効果的に挟持しつつもその胸ポケットの所定部が傷んでしまうことを有効に抑制できる。また、保護部２２の基端部に指を掛け、ベース体１と作動体２との先端部同士を近づけたり遠ざけたりするといった操作をするときも、作動体本体２１に直接指が触れず軟質性合成樹脂の弾性により好適な操作感を得られ、且つ、金属製の作動体本体２１によって指等が傷ついてしまうといった不具合も抑制することができる。さらに、作動体本体２１の側縁部が、板金素材を打ち抜き加工によって形成したものであり、そこにバリが残っていても保護部２２によって好適に保護することができる。すなわち、金属製の作動体本体２１の側縁部が、保護部２２によって露出しないため、作動体本体２１によって指等が傷ついてしまうといった不具合を、特別な加工を施さなくても抑制できる。加えて、金属製の作動体本体２１を、表面側と裏面側とから保護してその劣化を好適に抑制できる。したがって繰り返しの使用にも有効に対応できる。
【００６１】
前記表示部Ａが、名前等を表示するためのカードＣを出し入れ可能に収容するカード収容体Ａ１を具備しているため、当該表示プレートＰの使用者が変わっても、カードＣを変えるだけで済み、継続的に使用可能に構成した作動体２と合わせて表示プレートＰ全体としての繰り返しの使用を好適に行える。
【００６２】
なお、前記作動体本体２１の先端片２１２の少なくとも一部の部位を、他の部位よりも基端部側に退避した形状のものとする一方、保護部２２の先端縁の形状を略平坦（平坦面２２Ｈ）に構成することにより、前記作動体本体２１の先端部の形状と前記保護部２２の先端部の形状とが、異なる形状を有するようにしているため、胸ポケットの所定部に加わる挟持力を分散させて、胸ポケットの所定部を好適に挟持することができる。
【００６３】
また、作動体本体２１の先端部に凹部２１２Ｘを設ける一方、ベース体１における前記凹部２１２Ｘと対応する位置に凸部１１２を設けているため、胸ポケットの所定部を好適に挟持できる。
【００６４】
作動体本体２１が、ベース体１に向けて突出させてなり前記付勢手段４を係止するための係止片２１４を備え、前記保護部２２が、基端側の両側端部において前記ベース体１に向けて突出させた一対の突出部２２Ｔを備えるものであり、前記係止片２１４を、前記一対の突出部２２Ｔ間に配置しているため、部材の共用を図りコストアップすることを防止しながらも、ベース体１に向けて突出させた金属製の係止片２１４に、指等が直接触れて傷を負ってしまうといった不具合を効果的に抑制することができる。
【００６５】
加えて、前記保護部２２が、先端部側の両側端部において、前記ベース体１に向けて延出する一対の延出部２２１を備えるようにしているため、一対の延出部２２１に手をかけて、表示プレートＰ全体を持ち運びやすい。その際、合成樹脂製の部分を把持することになるので、好適な把持感を得られる。
【００６６】
なお、本発明は、以上に詳述した実施形態に限られるものではない。
【００６７】
例えば、金属製の作動体本体と合成樹脂製の保護部とを別体に形成し、作動体本体に対して前記保護部を取り付けることにより、前記作動体を一体的なものとするようにしてもよい。この場合の具体的な態様としては、図４、図５に示すように、（なお、前記実施形態と同一符号・同一名称が振られていて特に説明の無いものは、同様の機能等を有するものとして説明を省略する。）保護部２２が、作動体本体２１の先端部を被覆する被覆部２２ｐと、前記作動体本体２１の基端部に設けられた係止片２１４に係合可能な孔状の被係合部２２ｑとを具備するものが挙げられる。そして、前記被覆部２２ｐを前記作動体本体２１の先端部に取り付けて被覆した後に、前記被係合部２２ｑを前記作動体本体２１の係止片２１４に係合させることにより、前記作動体本体２１と前記保護部２２とを取り付けるように構成しているものであれば、作動体本体２１と保護部２２とを簡単に取り付けることができる。特に、前記係止片２１４が、前記作動体本体２１の内側に突出するものであって、前記保護部２２の被係合部２２ｑ側を、前記作動体本体２１の基端部側の内側に巻き込んでから、前記係止片２１４に前記被係合部２２ｑを取り付けるように構成しているものであれば、その効果は顕著になる。また、作動体本体２１に汎用品を用いることができるので、表示プレートＰ全体としてのコストダウンに効果的に寄与できる。
【００６８】
他にも、金属製の作動体本体２１に対して合成樹脂を塗布することにより塗膜状の保護部２２を形成してもよい。
【００６９】
また、保護部２２を、合成樹脂製のものとしているが、例えば、合成ゴム製のものとすることを妨げない。
【００７０】
また、作動体２やベース体１の形状も、本実施形態のものに限られるものではない。
【００７１】
また、ベース体１を、合成樹脂製のものとしているが、金属製のものとしても良いし、或いは、作動体２と同様の構成としても良い。
【００７２】
またさらに、表示プレートＰをベース体１を具備しないものとすることもできる。この場合には、表示部Ａと作動体２との間で、胸ポケットの所定部を挟持するように構成すればよい。
【００７３】
また、表示プレートＰを胸ポケットに取り付けるようにしているが、襟に取り付けるようにするなど、取付先部材はこれに限られるものではない。
【００７４】
その他、各部の具体的構成についても上記実施形態に限られるものではなく、本発明の趣旨を逸脱しない範囲で種々変形が可能である。
【図面の簡単な説明】
【００７５】
【図１】本発明の一実施形態に係る表示プレートを示す全体斜視図。
【図２】同実施形態における表示プレートを示す全体斜視図。
【図３】同実施形態における作動体を示す正面図・平面図・側面図・底面図。
【図４】本発明の他の実施形態に係る表示プレートを示す全体斜視図。
【図５】同実施形態における保護部を示す正面図・底面図・断面図。
【符号の説明】
【００７６】
Ｐ・・・・・・・表示プレート
Ａ・・・・・・・表示部
Ａ１・・・・・・カード収容体
Ｃ・・・・・・・カード
１・・・・・・・ベース体
２・・・・・・・作動体
２１・・・・・・作動体本体
２２Ｔ・・・・・突出部
２２・・・・・・保護部
２２ｐ・・・・・被覆部
２２ｑ・・・・・被係合部
１１２・・・・・凸部
２１２Ｘ・・・・凹部
２１４・・・・・係止片
２２１・・・・・延出部
【図１】
2005338239.tif 000003
【図２】
2005338239.tif 000004
【図３】
2005338239.tif 000005
【図４】
2005338239.tif 000006
【図５】
2005338239.tif 000007